(57)【要約】 【課題】  本発明は、吊線の伸張等による断線を防ぐため、光ファイバケーブルに余長を設けて吊線よりも長くした余長付２心テープ型８心ドロップケーブルを提供することを目的とするものである。【解決手段】  本発明は、２心テープを２枚ずつ２箇所に入れ、上下をテンションメンバで保護し、シース材で被覆した光ファイバケーブルと、前記光ファイバケーブルを吊るす吊線と、前記光ファイバケーブルと前記吊線とを繋げる接続部分とからなり、前記光ファイバケーブルに余長を設けて前記吊線より長くし、光ファイバを取り出しやすくするため、ノッチを４箇所入れたことを特徴とする余長付２心テープ型８心ドロップケーブルの構成とした。【選択図】  図１
2005148394.tif 000002
【特許請求の範囲】
【請求項１】
２心テープを２枚ずつ２箇所に入れ、上下をテンションメンバで保護し、シース材で被覆した光ファイバケーブルと、前記光ファイバケーブルを吊るす吊線と、前記光ファイバケーブルと前記吊線とを繋げる接続部分とからなり、前記光ファイバケーブルに余長を設けて前記吊線より長くしたことを特徴とする余長付２心テープ型８心ドロップケーブル。    
【請求項２】
光ファイバを取り出しやすくするため、ノッチを４箇所入れたことを特徴とする請求項１記載の余長付２心テープ型８心ドロップケーブル。
【請求項３】
吊線の下部にテンションメンバを入れたことを特徴とする請求項１又は請求項２記載の余長付２心テープ型８心ドロップケーブル。
【発明の詳細な説明】
【技術分野】
【０００１】
本発明は、光ファイバをケーブルとして使用する余長付２心テープ型８心ドロップケーブルに関する発明である。
【背景技術】
【０００２】
光ファイバによる通信網の整備が進み、光ファイバケーブルが配線されるようになってきている。光ファイバのドロップケーブルとしては単心線、２心テープを用いた２心タイプ、４心テープを用いた４心タイプ等がある。
【０００３】
従来の吊線付光ファイバケーブルでは、ケーブル敷設延線時の張力、緊線時の張力又は風圧等の自然現象による張力が吊線に加わった場合に吊線が伸びてしまうことがあり、吊線と光ファイバケーブルの長さが同じであると、光ファイバケーブルも伸ばされ、断線する危険性がある。
【０００４】
特許文献１に記載されているように、光ファイバケーブルが断線するのを防ぐため、光ファイバケーブルに余長を設け、吊線より長くした吊線付光ファイバケーブルの製造方法という発明も公開されている。
【特許文献１】特開平７−２３００２８号公報
【０００５】
図５は、従来の吊線付光ファイバケーブルの正面図である。吊線付光ファイバケーブル８は、光ファイバが単心線のケーブルで、吊線９、光ファイバケーブル１０及び接続部分１１からなる。
【０００６】
吊線９及び光ファイバケーブル１０は、被覆成型されており、接続部分１１によって繋げられている構造もあり、吊線９が伸びた場合に光ファイバケーブル１０が切断されないように光ファイバケーブル１０に余長を設けているものもある。
【０００７】
吊線９は、光ファイバケーブル１０よりも細いものの硬い線となっており、吊線付光ファイバケーブル８を配線していく際のガイド的な役割を果たし、光ファイバケーブル１０がむやみに曲がらないように保護している。
【０００８】
図６は、従来の吊線付光ファイバケーブルの断面図である。吊線９は、吊線付光ファイバケーブル８上の数箇所を接続部分１１で繋げることで、光ファイバケーブル１０を吊るしている。
【０００９】
吊線９の内部には、鋼製の支持線９ａが入っており、光ファイバケーブル１０が曲がり過ぎて断線しないようにしている。光ファイバケーブル１０の内部には、光ファイバ１０ａが入っており、表面をシース材等で覆っている。
【発明の開示】
【発明が解決しようとする課題】
【００１０】
しかしながら、２心テープ心線を４枚付けた８心ドロップケーブルにおいては、余長を設けたものがなく、光ファイバケーブルを１本の鋼線で支えているため断線する危険性があり、また、吊線内の鋼線も太いものが使用されている。
【００１１】
また、従来の吊線付光ファイバケーブルでは、ノッチ等がないため、機器等に接続する際に光ファイバを取り出すのが容易ではない等の欠点がある。
【００１２】
そこで、本発明は、吊線の伸張等による断線を防ぐため、光ファイバケーブルに余長を設けて吊線よりも長くした余長付２心テープ型８心ドロップケーブルを提供することを目的とするものである。
【課題を解決するための手段】
【００１３】
本発明は、上記の課題を解決するために、２心テープを２枚ずつ２箇所に入れ、上下をテンションメンバで保護し、シース材で被覆した光ファイバケーブルと、前記光ファイバケーブルを吊るす吊線と、前記光ファイバケーブルと前記吊線とを繋げる接続部分とからなり、前記光ファイバケーブルに余長を設けて前記吊線より長くし、光ファイバを取り出しやすくするため、ノッチを４箇所入れたことを特徴とする余長付２心テープ型８心ドロップケーブルの構成とした。
【発明の効果】
【００１４】
本発明は、以上の構成であるから以下の効果が得られる。第１に、光ファイバケーブルに余長を設けて、吊線より長くしたことで、ケーブル敷設延線時の張力や緊線時の張力、風圧等の自然現象による張力が吊線に加わって吊線が伸びてしまっても光ファイバケーブルが断線することはなくなる。
【００１５】
第２に、光ファイバケーブル内のテンションメンバを中心に１本ではなく、２本にして２心テープ心線の両側から支えることで、光ファイバケーブルが補強され、光ファイバケーブルが断線するのを防ぐことができる。
【００１６】
第３に、吊線内の鋼線の太さを半分以下にすることで、全体を小さくすることができ、省スペース化が図れる。また、重さも軽くなるので、風等の圧力も小さくて済み、ケーブル敷設延線時の作業が容易になる。
【００１７】
第４に、ノッチを４箇所入れたことで、２本ずつ２箇所に分けて入っている２心テープ心線を、容易に、しかも光ファイバを傷付けることなく取り出すことができる。
【発明を実施するための最良の形態】
【００１８】
２心テープ心線、テンションメンバ、支持線をシース材で一括被覆するが、光ファイバケーブルに余長を付けた上で、光ファイバケーブルと吊線とを繋げる。
【実施例１】
【００１９】
以下に、添付図面に基づいて、本発明である余長付２心テープ型８心ドロップケーブルについて詳細に説明する。図１は、本発明である余長付２心テープ型８心ドロップケーブルの正面図である。余長付２心テープ型８心ドロップケーブル１は、吊線２、光ファイバケーブル３及び接続部分４からなる。
【００２０】
吊線２は、光ファイバケーブル３を吊るして支えている線で、内部には鋼製の支持線２ａが入っている。光ファイバケーブル３は、光を伝搬する線であり、内部には光ファイバを２心にした２心テープ心線５、５ａ、５ｂ、５ｃ及びテンションメンバ７、７ａが入っている。吊線２と光ファイバケーブル３とは、接続部分４により間欠的に繋がれ吊るされている。
【００２１】
テンションメンバ７、７ａとは、光ファイバケーブル３の中心部の光ファイバ自身に引っ張り張力が直接加わらない構造にしたものである。アラミド繊維など柔らかい素材を使用する場合もある。余長付２心テープ型８心ドロップケーブル１では、直径０．４ｍｍから０．８ｍｍ程度の鋼線を２本入れている。
【００２２】
余長付２心テープ型８心ドロップケーブル１は、２心テープ心線５、５ａ、５ｂ、５ｃ、テンションメンバ７、７ａ及び支持線２ａをシース材３ｇで一括被覆するが、光ファイバケーブル３に余長３ｅ、３ｆを付けた上で、光ファイバケーブル３と吊線２とを繋げる。      
【００２３】
シース材３ｇとは、光ファイバを保護するためのもので、ポリエチレン、ナイロン、テフロン（登録商標）、ポリ塩化ビニル（ＰＶＣ）、ＰＶＣモノコイル、ステンレス鋼（ＳＵＳ）、フレキシブル管等の種類があるが、余長付２心テープ型８心ドロップケーブル１においては、ノンハロゲン難燃ポリエチレンが使用される。
【００２４】
光ファイバケーブル３の表面には、正面側と背面側それぞれに左上ノッチ３ａ、左下ノッチ３ｂ、右上ノッチ３ｃ及び右下ノッチ３ｄが設けられている。左上ノッチ３ａ、左下ノッチ３ｂ、右上ノッチ３ｃ及び右下ノッチ３ｄは、機器等に接続する際にシース材３ｇを切り取って光ファイバを取り出しやすくするために三角形状に切り込んだ溝である。
【００２５】
図２は、本発明である余長付２心テープ型８心ドロップケーブルの平面図である。ある接続部分４から別の接続部分４の間において、光ファイバケーブル３には余長３ｅ、３ｆがあるため、吊線２よりも長くなっている。
【００２６】
余長３ｅ、３ｆとは、光ファイバケーブル３の吊線２より長い部分である。吊線２と光ファイバケーブル３とは、光ファイバケーブル３に余長３ｅ、３ｆを入れた上で、接続部分４により接続する。
【００２７】
ケーブル敷設延線時の張力や緊線時の張力、風圧等の自然現象による張力が吊線２に加わり吊線２が伸びた場合でも、光ファイバケーブル３には余長３ｅ、３ｆ分の余裕があるので、光ファイバケーブル３が伸ばされ、断線する危険性は少ない。
【００２８】
ある接続部分４と別の接続部分４の間隔においては、吊線２の長さが約２５０ｍｍのところ、光ファイバケーブル３の長さが約２５１ｍｍあり、吊線２に対して光ファイバケーブル３は約０．４％の余長３ｅ、３ｆを持つ。余長３ｅ、３ｆの範囲は０．１％から０．４％が好ましく、最大でも２％であり、設置場所等の環境により変動がある。
【００２９】
光ファイバケーブル３は余長３ｅ、３ｆで若干長いため、吊線２を真っ直ぐに伸ばしても、光ファイバケーブル３は曲線を描くことになるが、吊線２が硬いため急激に曲がることはなく、緩やかな曲線となり、光損失が増加するということはない。
【００３０】
余長３ｅ、３ｆは、余長付２心テープ型８心ドロップケーブル１に限らず、単心線、２心タイプ、４心タイプ又はその他のドロップケーブルに対して使用しても、吊線２の伸張による断線を防ぐことができる。
【００３１】
図３は、本発明である余長付２心テープ型８心ドロップケーブルの断面図である。円状の吊線２の内部には支持線２ａが入っており、光ファイバケーブル３の内部には２心テープ心線５、５ａ、５ｂ、５ｃが４本、テンションメンバ７、７ａが２本入っている。
【００３２】
余長付２心テープ型８心ドロップケーブル１の断面は、縦は１０．０ｍｍ程度、横の箇所で４．０ｍｍ程度の大きさで、１ｋｍあたりの質量は約１００ｋｇ以下である。
【００３３】
支持線２ａは、直径１．２ｍｍから３．０ｍｍ、好ましくは１．２ｍｍから２．６ｍｍの材質が鋼の線で、光ファイバケーブル３を支えている。余長付２心テープ型８心ドロップケーブル１が曲がるなど外部からの圧力があっても、光ファイバケーブル３に直接圧力が掛からないように保護する。
【００３４】
光ファイバ６、６ａ、６ｂ、６ｃ、６ｄ、６ｅ、６ｆ、６ｇは、ガラス等の透明な物質で出来た繊維状のもので、光ファイバケーブル３の中心部分にあり、光を伝搬する。余長付２心テープ型８心ドロップケーブル１では、種別がＳＭ型石英ファイバである。光ファイバ６〜６ｇ自体は、強度がかなり弱いため、紫外線硬化樹脂で二重に被覆される。１次被覆の外径は、２５０μｍで、２次被覆の外径は厚さが約０．４ｍｍ、幅が約０．６ｍｍである。
【００３５】
２心テープ心線５、５ａ、５ｂ、５ｃは、光ファイバ６〜６ｇを２心にしたもので、青と白、黄と白、緑と白及び赤と白で被覆した線の組み合わせがある。色は変更される場合があり、配置も限定されない。余長付２心テープ型８心ドロップケーブル１では、２心テープ心線５、５ａと２心テープ心線５ｂ、５ｃの２箇所に分けて入れている。
【００３６】
余長付２心テープ型８心ドロップケーブル１の２心テープ心線５、５ａ、５ｂ、５ｃの各光ファイバ６〜６ｇは、モードフィールド径が９．２μｍで、クラッド径が１２５μｍとなっている。モードフィールド径については更に細くなる場合もある。
【００３７】
モードフィールド径とは、光ファイバ内に閉じ込められた光の拡がりを表すもので、クラッド径とは、光ファイバの中心部分を取り囲んでいる光ファイバの中心部分より屈折率の低い物質で構成される部分を最もよく近似する円の直径である。
【００３８】
テンションメンバ７、７ａは、強度の弱い光ファイバ６〜６ｇを保護するため、光ファイバケーブル３内の２心テープ心線５、５ａと２心テープ心線５ｂ、５ｃの外側となる位置に入れている。
【００３９】
吊線２、光ファイバケーブル３及び接続部分４は、それぞれシース材２ｂ、３ｇ、４ａで被覆され、支持線２ａ及びテンションメンバ７、７ａは、シース材２ｂ、３ｇに密着又は接着した状態になっている。光ファイバケーブル３の部分は長方形状になっており、２心テープ心線５、５ａ、５ｂ、５ｃのある辺りには三角形状に切り込んだ左上ノッチ３ａ、左下ノッチ３ｂ、右上ノッチ３ｃ及び右下ノッチ３ｄが設けられている。
【００４０】
左上ノッチ３ａと右上ノッチ３ｃとは、切り込みの位置が左右対称となっており、左上ノッチ３ａと右上ノッチ３ｃとの間に２心テープ心線５、５ａが入っている。同様に、左下ノッチ３ｂと右下ノッチ３ｄとは、切り込みの位置が左右対称となっており、左下ノッチ３ｂと右下ノッチ３ｄとの間に２心テープ心線５ｂ、５ｃが入っている。
【００４１】
左上ノッチ３ａ及び右上ノッチ３ｃは、上側の２心テープ心線５、５ａを出すための溝であり、左下ノッチ３ｂ及び右下ノッチ３ｄは下側の２心テープ心線５ｂ、５ｃを出すための溝である。左上ノッチ３ａ、左下ノッチ３ｂ、右上ノッチ３ｃ及び右下ノッチ３ｄにより、２心テープ心線５、５ａ、５ｂ、５ｃを露出させるときに被覆部分を取り除きやすくしている。
【００４２】
左上ノッチ３ａ、左下ノッチ３ｂ、右上ノッチ３ｃ及び右下ノッチ３ｄにより容易にシース材３ｇ等の被覆部分を剥がすことができるので、２心テープ心線５、５ａ、５ｂ、５ｃを露出させる際にあまり負担をかけずに済み、光ファイバ６〜６ｇを折ってしまうことが少ない。
【００４３】
接続部分４は、吊線２と光ファイバケーブル３を間隔を置いて接続している。接続部分４を断面で見ると、吊線２及び光ファイバケーブル３よりも幅が小さいため、左右からコの字型に切り抜いた形状となっている。
【実施例２】
【００４４】
図４は、本発明である余長付２心テープ型８心ドロップケーブルの吊線の下部にテンションメンバが入っている場合の断面図である。余長付２心テープ型８心ドロップケーブル１ａの吊線２の支持線２ａの下側にテンションメンバ７ｂを入れたものである。
【００４５】
余長付２心テープ型８心ドロップケーブル１ａでは、シース材２ｂ、３ｇ、４ａで被覆する際、テンションメンバ７、７ａ、７ｂはシース材３ｇに密着又は接着させるが、支持線２ａはシース材２ｂには密着又は接着させない。
【００４６】
支持線２ａを吊線２から取り出す際に、シース材２ｂと密着又は接着していなければ取り出しやすい。また、テンションメンバ７ｂがあるため、シース材２ｂの収縮や伸びが抑えられ、光ファイバケーブル３に余計な力が掛かって、光損失の増加や、光ファイバ６〜６ｇが破損してしまうことを防ぐことができる。
【図面の簡単な説明】
【００４７】
【図１】本発明である余長付２心テープ型８心ドロップケーブルの正面図である。
【図２】本発明である余長付２心テープ型８心ドロップケーブルの平面図である。
【図３】本発明である余長付２心テープ型８心ドロップケーブルの断面図である。
【図４】本発明である余長付２心テープ型８心ドロップケーブルの吊線の下部にテンションメンバが入っている場合の断面図である。
【図５】従来の吊線付光ファイバケーブルの正面図である。
【図６】従来の吊線付光ファイバケーブルの断面図である。
【符号の説明】
【００４８】
１        余長付２心テープ型８心ドロップケーブル
１ａ      余長付２心テープ型８心ドロップケーブル
２        吊線
２ａ      支持線
２ｂ      シース材
３        光ファイバケーブル
３ａ      左上ノッチ
３ｂ      左下ノッチ
３ｃ      右上ノッチ
３ｄ      右下ノッチ
３ｅ      余長
３ｆ      余長
３ｇ      シース材
４        接続部分
４ａ      シース材
５        ２心テープ心線
５ａ      ２心テープ心線
５ｂ      ２心テープ心線
５ｃ      ２心テープ心線
６        光ファイバ
６ａ      光ファイバ
６ｂ      光ファイバ
６ｃ      光ファイバ
６ｄ      光ファイバ
６ｅ      光ファイバ
６ｆ      光ファイバ
６ｇ      光ファイバ
７        テンションメンバ
７ａ      テンションメンバ
７ｂ      テンションメンバ
８        吊線付光ファイバケーブル
９        吊線
９ａ      支持線
１０        光ファイバケーブル
１０ａ      光ファイバ
１１        接続部分
【図１】
2005148394.tif 000003
【図２】
2005148394.tif 000004
【図３】
2005148394.tif 000005
【図４】
2005148394.tif 000006
【図５】
2005148394.tif 000007
【図６】
2005148394.tif 000008